(57)【要約】      （修正有）【課題】地面に密着して掃き損じて掃き集めできなかったゴミを容易に掃き集めできるほうきの毛の毛先を加工する毛先加工具。【解決手段】内部に発熱する電熱具２を備えた細長い円柱状の発熱体５と、該発熱体５の外郭に、金網状に形成された金網体３を、発熱体の側面１に沿って、並行に隙間６を空けて配置されている。加熱された毛先加工具Ｓの金網体３部分で、毛先８を毛元１０方向へ押付け気味に叩くようにすれば、各々毛先８は、別々の網目部４を潜り、発熱体の側面１に接触して、熱で軟化しながら押しつぶされて外周に拡張した張り出し部９が形成する。また、潜れずに金網の線７に、突っかかった毛１１は、弓状に曲げられて発熱体の側面１には届かない。さらに、別々の網目部４を潜り入った毛先８と毛先８が金網体３の内側で、熱によって、くっ付いても抜け出る際に、金網の線７に引っ掛かり分離される。【選択図】図１
2015000190.tif 000002
【特許請求の範囲】
【請求項１】
合成樹脂材のほうきの毛の毛先を加工する加工具であって、一方側には、内部に発熱する電熱具を備えた細長い棒状の発熱体と、該発熱体の外郭に、金網状に形成された金網体を、該発熱体の側面に沿って、隙間を空けて配置されている。また、該金網体の網目部は、前記ほうきの毛先が単一でのみ潜れる広さを備えてあり、他方側には、把持する把手部を備えたことを特徴とするほうきの毛の毛先加工具。
【発明の詳細な説明】
【技術分野】
【０００１】
本発明はごみを容易に掃き集めるほうきの毛先の加工具に関するものである。  
【背景技術】
【０００２】
従来、ほうきでゴミを掃き集める場合において、各々毛はゴミの表面を撫でながら掃き集めていた為、ゴミは掃き残ってしまう．その為、地面や床に密着したゴミは複数回掃き重ねながら掃き集めなければならなかった。
【０００３】
これらを解決するために、直線形状の毛自体を波形状にしたもの、又は、毛先を多数に枝分かれさせたもの、あるいは熊手のように引っかく爪を用いたものがあった。
【０００４】
加工方法として、例えば特許文献１に火災で毛先を球体などに形成する火災処理ブラシが開示されている。
【０００５】
あるいは、特許文献２に毛の先端部を加熱溶解させて球状体を形成する先丸加工技術が開示されている。
【０００６】
特許文献３に,歯間清掃ブラシの先丸加工装置及び先丸加工方法が開示されている。
【０００７】
特許文献４に内視鏡用洗浄ブラシの製造方法が開示されている。
【先行技術文献】
【特許文献】
【０００８】
【特許文献１】特開昭４８−９３１６０号公報
【特許文献２】特表平５− ５０２６００号公報
【特許文献３】特開平８−７０９３３号公報
【特許文献４】特開 ２００５−３４４６５号公報
【発明の開示】
【発明が解決しようとする課題】
【０００９】
しかしながら、上記特許文献1〜４に開示されたものは、ほうきの製造する過程で毛先部分を加工したものであり、また、摩耗して、すり減った毛先は再生できずに、ほうきの毛先が摩耗するとゴミを引っ掻く効力が次第に弱くなり、ゴミを掃き集めるには手間がかかり効果が得にくい。
【００１０】
その為、本発明の根底をなす課題は、すり減った毛先をゴミの掃き集めを容易にする形状に再生するほうきの毛先加工具を提供することを目的とする。
【課題を解決するための手段】
【００１１】
そこで本発明にあっては、上記課題を解決するために講じた本発明の手段は、次の通りである。第１手段にあっては、合成樹脂材のほうきの毛の毛先を加工する毛先加工具であって、一方側には、内部に発熱する電熱具を備えた細長い棒状の発熱体と、該発熱体の外郭に、金網状に形成された金網体を、該発熱体の側面に沿って、隙間を空けて配置されている。また、該金網体の網目部は、前記ほうきの毛先が単一でのみ潜れる広さを備えてあり、他方側には、把持する把手部を備えたことを特徴とするほうきの毛の毛先加工具である。
【００１２】
これによれば、加熱した前記毛先加工具で、前記毛先を軟化させながら、該毛先を外周に、笠状に拡張した張り出し部を形成させるものであって、細長い円柱状の前記発熱体の外郭に、該発熱体の側面に沿って湾曲に設けられた前記金網体は、金網の線の枠に囲まれた多数の前記網目部を備えてあり、該網目部は、前記毛先が単一でしか通り抜けできない広さの網目を備えている。
前記発熱体の側面の表面温度は、前記毛先が軟化する温度にしている。
前記金網体は、前記発熱体の側面の熱が直に伝わらないように、該発熱体との間に隙間を設けて、前記毛先が前記金網の線の枠に触れても熱で軟化しないようにしている。
前記毛先を、前記発熱体の側面に押し付けた場合、前記金網の線の枠を設けないと、該毛先は軟化しながら前記発熱体の表面を諸方に滑るが、金網の線の枠を設けたことで、該枠内の網の目を潜ることによって、該毛の先端部は、枠内に留まり滑ることなく押し潰されて前記張り出し部が形成されるようになる。
隣接する各々前記毛先は、別々の前記網目部を潜り、前記発熱体の側面に接触して、熱で前記毛先と毛先が、くっ付いても、これらの毛先が前記網目部から抜け出る際に、前記毛先と毛先の接着した部分が、前記金網の線の枠に引っ掛かり分離されるようになる。
【００１３】
１，０ｍｍ平方の略正方形の太さの前記毛先を加工する場合には、該毛の対角線の長さが１，４１ｍｍになり、これらを勘案して、前記網目部の広さを、１，５ｍｍ平方以上の略正方形の網目とし、また、複数の前記毛先が、同時に潜ることのできない２，０ｍｍ平方未満の略正方形とした網目を用いるのが望ましい。
【００１４】
湾曲状の前記毛先加工具の側面を、前記毛先の群れの、毛先から毛元方向へ当てると、該毛先の群れに対して、細い直線的な接触になるため、前記毛先は、前記金網の線の枠への突っかかりが減って、前記網目部を潜りやすくなる。
【００１５】
加熱された前記毛先加工具で、前記毛先を、毛元方向へ押付け気味に叩くと、前記網目部を潜った前記毛先は、前記発熱体の側面に接触して軟化して、前記張り出し部が形成される。また、潜れずに前記金網の線の枠に、突っかかった前記毛は、弓状に曲げられて、前記発熱体の側面に届かないようにしている。
また、円柱状の前記発熱体の側面に沿って、前記金網体も湾曲にしてあるため、該金網の線の枠に突っかかる毛は少数に限定されるため、過剰に押し付けて叩く必要はなく、軽く押付け気味に叩くだけにしてある。この作業を繰り返しながら、押し並べて前記毛先を加工すると、各々の毛先は軟化しながら外周に反り返り、ゴミを引っ掻く、あるいは、掻き寄せる笠状の張り出し部が形成されるようになっている。
【発明の効果】
【００１６】
本発明のほうきの毛先加工具は、前記毛先を一本ずつ加工する面倒な作業はなく、前記毛先全体を、端から中央方向へ順々に、大まかに叩いて前記毛先の張り出し部を形成することができる。
該張り出し部がゴミの表面との接触部分を大きくし、摩擦の抵抗力を高め、更に、引っかく爪の役もして、ゴミの掃き集めを容易にするため、いままで反復していた掃き回数を減らしながらゴミを掃き集めでき、効率よく掃けるため、時間短縮になり、掃き掃除が容易になる。また、摩耗した不揃いの毛先を加熱し、軟化させながら再生加工するため、同時に毛先も揃えることができる。
【図面の簡単な説明】
【００１７】
【図１】本発明の実施例のほうきの毛の毛先加工具の要部の拡大概略図である。
【図２】本発明の実施例のほうきの毛先部分の側面図である。
【図３】本発明の実施例のほうきの毛先加工具の全体概略図である。
【発明を実施するための最良の形態】
【００１８】
以下発明の実施の形態について、図面を参照しつつ詳細に説明すれば、図１は本発明の実施例を表すもっとも一般的な形態のほうきの毛先加工具の要部の拡大概略図を示すが、毛先加工具Ｓは、発熱体の側面１と、電熱具２と、金網体３と、網目部４と、発熱体５と、隙間６と、金網の線７とで構成されている。
【００１９】
一方側の円柱状の発熱体５の外郭には、該発熱体の側面１に沿って並行に隙間６を空けて網状の金網体３を湾曲に配置してあり、また、金網の線７の線径は、０．３〜１．０φのステンレス線あるいは、銅線等の金属材料を用いている。該金網の線７に囲まれた各々網目部４は、毛１１が単一でのみ通り抜け可能な略正方形の網目になっている。
１，０ｍｍ平方の略正方形の太さの毛先８を加工する場合、網目部４は、１，５〜１，９ｍｍ平方の略正方形の網目にするのが望ましく、規格寸法は、線径０，６φの場合、１０〜１２メッシュが望ましい。
発熱体５は、およそ、直径１０ｍｍ、長さ７０ｍｍ、の円柱状にするのが望ましく、発熱体の側面１と、並行に配置された金網体３との間には、およそ、１，５〜３，５ｍｍの隙間６を設けて、発熱体の側面１の熱が金網の線７に直接伝わらないように配置している。また、発熱体５の内部には、該発熱体の側面１を加熱するための電熱具２を設けている。
【００２０】
図２は、ほうきの毛先８部分の側面図を示す。毛先８に熱を加えて、外周に拡張した張り出し部９を形成した状態を示している。
また、図３は、本発明の実施例としての毛先加工具Ｓの全体概略図を示している。
【００２１】
この実施形態のほうきの毛先８の加工法について説明すると、毛先加工具Ｓの把手部１２を把持し、およそ、２００〜５００度に加熱された毛先加工具Ｓの金網体３部分で、毛先８を押付け気味に叩くと、毛先８は、前記発熱体の側面１に触れて、熱で軟化しながら押し潰されて、外周に拡張した張り出し部５が形成されるようになる。この作業を繰り返し行ないながら、各々の毛先８を加工する。
【００２２】
又、本発明は、上記実施の形態や実施例には限定されるものではなく、特許請求の範囲に於いて、各部材の形状や素材等、適宜変更可能である。
【符号の説明】
【００２３】
Ｓ        毛先加工具
１        発熱体の側面
２        電熱具
３        金網体
４        網目部
５        発熱体
６        隙間
７        金網の線
８        毛先
９        張り出し部
１０      毛元      
１１      毛
１２      把手部
【図１】
2015000190.tif 000003
【図２】
2015000190.tif 000004
【図３】
2015000190.tif 000005